(57)【要約】【課題】少ない演算量および簡単な構成で、データパケットの受信、蓄積および送信を行なうデータパケットの記録再生装置を提供すること。【解決手段】ネットワーク１５を介して受信したデータパケットを受信するとき、パケットカウント部４２は、タイミング生成部４５からの一定周期のタイミング信号毎に受信した、データパケットの個数を個数情報としてパケットカウントテーブル４６に記録する。読み出し部４４はタイミング生成部４５からの一定周期のタイミング信号毎に、受信したときと同じ個数のデータパケットを蓄積部２１から読み出し、送信部４７がネットワーク１５に送信する。【選択図】図１
2007028131.tif 000002
【特許請求の範囲】
【請求項１】
ネットワークを介して受信したデータパケットを一時的に格納する受信部と、
一定周期のタイミング信号を生成するタイミング信号生成部と、
前記受信部に格納されたデータパケットを読み出して出力するとともに、出力したデータパケットの個数を前記タイミング信号毎にカウントし、カウントした結果を個数情報としてパケットカウントテーブルに書き込み、前記データパケットの属性情報をパケットインデックステーブルに書き込むパケットカウント部と、
前記パケットカウント部から出力されたデータパケットを書き込む書き込み部と、
前記書き込み部によって書き込まれたデータを蓄積する蓄積部と、
前記パケットカウントテーブルに書き込まれた前記個数情報を前記タイミング信号毎に読み出し、前記個数情報の個数分のデータパケットを前記蓄積部から読み出して送信する読み出し部と、
前記読み出し部によって送信されたデータパケットを受け取って、前記ネットワークに送信する送信部と、
を備えるデータパケットの記録再生装置。
【請求項２】
前記蓄積部は、属性の異なる複数の前記データパケットによって構成される映像コンテンツを蓄積し、前記読み出し部は、前記属性のうち一部の属性のデータパケットを読み出すことにより、前記映像コンテンツの早送りまたは早戻しを実行する請求項１記載のデータパケットの記録再生装置。
【請求項３】
前記データパケット、前記パケットカウントテーブルおよび前記パケットインデックステーブルは、前記蓄積部に記録される請求項１または請求項２記載のデータパケットの記録再生装置。
【請求項４】
ネットワークを介して受信したデータパケットを一時的に格納する受信部と、
一定周期の第１のタイミング信号を生成するタイミング信号生成部と、
前記受信部に格納されたデータパケットを読み出して出力するとともに、出力したデータパケットの個数を前記第１のタイミング信号毎にカウントし、前記カウントした結果を個数情報としてパケットカウントテーブルに書き込むパケットカウント部と、
前記パケットカウント部から出力されたデータパケットを書き込む書き込み部と、
前記書き込み部によって書き込まれたデータを蓄積する蓄積部と、
一定周期の第２のタイミング信号を生成する再生速度設定部と、
前記パケットカウントテーブルに書き込まれた前記個数情報を前記第２のタイミング信号毎に読み出し、前記個数情報の個数分のデータパケットを前記蓄積部から読み出して送信する読み出し部と、
前記送信部によって送信されたデータパケットを受け取って、前記ネットワークに送信する送信部と、
を備えるデータパケットの記録再生装置。
【請求項５】
ネットワークを介して受信したデータパケットを一時的に格納するステップと、
一定周期のタイミング信号を生成するステップと、
格納されたデータパケットを読み出して出力するとともに、出力したデータパケットの個数を前記タイミング信号毎にカウントし、カウントした結果を個数情報としてパケットカウントテーブルに書き込むステップと、
出力されたデータパケットを書き込むステップと、
前記パケットカウントテーブルに書き込まれた個数情報を前記タイミング信号毎に読み出し、前記個数情報の個数分のデータパケットを読み出して送信するステップと、
前記読み出されたデータパケットを受け取って、前記ネットワークに送信するステップと、
を備えるデータパケットの記録再生方法。
【発明の詳細な説明】
【技術分野】
【０００１】
本発明は、データパケットの記録再生装置および記録再生方法に関し、特に、ネットワークを介して伝送されるエンコードされたデータパケット、例えば映像信号をＭＰＥＧ方式でエンコードしたデジタルデータからなるＲＴＰパケットのようなデータパケットを蓄積して、要求に応じてネットワークに送信することができる、データパケットの記録再生装置および記録再生方法に係わるものである。
【背景技術】
【０００２】
従来のデータパケットの記録再生装置としては、図１３に示すようなものが知られている（例えば特許文献１参照）。
【０００３】
図１３において、受信部３１は、ネットワーク１５を介して映像信号などのデータパケットおよびビットレートデータを受信する。受信部３１によって受信されたデータパケットおよびビットレートデータは、書き込み部３２によって、蓄積部３８に記録される。
【０００４】
次に、読み出し部３３は、蓄積部３８からデータパケットおよびビットレートデータを順次読み出し、送信バッファ３４に記録する。そして、ビットレート値検出部３５は、送信バッファ３４に記録されたデータパケットおよびビットレートデータを順次読み出し、間隔演算設定部３６に出力する。
【０００５】
間隔演算設定部３６は、ビットレートデータに基づいて、データパケットを送信する間隔を演算し、データパケットおよびビットレートデータを送信部３７に出力する。送信部３７は、ビットレートデータに続いて間隔演算設定部３６で求められた間隔でデータパケットを送信する。
【０００６】
そしてこのような、従来のデータパケットの記録再生装置４０は、図１４に示すようにエンコーダ１１とデコーダ１３とが接続されているネットワーク１５に接続され、エンコーダ１１が送信したデータパケットを記録し、その記録したデータパケットを、デコーダ１３が受信可能なようにネットワーク１５に送信するものである。
【０００７】
このとき、デコーダ１３がエンコーダ１１からデータパケット１６を受け取る際、データパケット１６とともに、データパケット１６がネットワーク１５を通過する速度であるビットレートデータを受け取る。ネットワーク１５を通過するビットレートデータと、データパケット１６との関係は図１５に示すようになっている。図１５において、ｂはビットレートデータ１７、ｄはデータパケット１６をそれぞれ示す。ネットワーク１５を通過する速度が変わるたびに、ビットレートデータ１７を送り、それに続いてデータパケット１６を送る。こうすることにより、エンコーダ１１とデコーダ１３との間で、データの送受信の速度が変わっても、データパケット１６の記録再生ができる。
【特許文献１】特開平８−１９１３３０号公報（段落番号０１３０〜０１３６、図１１）
【発明の開示】
【発明が解決しようとする課題】
【０００８】
しかしながら、従来のデータパケットの記録再生装置においては、データパケットを送信するときにそのデータパケットの送信間隔を決定するためにビットレートデータが必要であり、またこれに伴い、処理が複雑になるという問題があった。すなわち、ビットレート値検出部３５は、送信バッファ３４から順次データを読み出すとき、ビットレートデータを検出すると、このビットレートデータに合わせた送信間隔を演算し、この送信間隔を間隔演算設定部３６に送る。ビットレート値検出部３５は、引き続き、送信バッファ３４からデータパケットを読み出して、間隔演算設定部３６に送る。間隔演算設定部３６は、送信間隔に従って、データパケットを送信部３７に送る。送信部３７は、送られてきたデータパケットをネットワーク１５に送信する。このように、送信バッファ３４、ビットレート値検出部３５、間隔演算設定部３６といった構成が必要となり、その分処理が複雑になるという問題点があった。
【０００９】
本発明は、従来の問題を解決するためになされたもので、ビットレートデータを用いることなく、データパケットの記録再生を実現することできるデータパケットの記録再生装置および記録再生方法を提供することを目的とする。
【課題を解決するための手段】
【００１０】
本発明のデータパケットの記録再生装置は、ネットワークを介して受信したデータパケットを一時的に格納する受信部と、一定周期のタイミング信号を生成するタイミング信号生成部と、前記受信部に格納されたデータパケットを読み出して出力するとともに、出力したデータパケットの個数を前記タイミング信号毎にカウントし、カウントした結果を個数情報としてパケットカウントテーブルに書き込み、前記データパケットの属性情報をパケットインデックステーブルに書き込むパケットカウント部と、前記パケットカウント部から出力されたデータパケットを書き込む書き込み部と、前記書き込み部によって書き込まれたデータを蓄積する蓄積部と、前記パケットカウントテーブルに書き込まれた前記個数情報を前記タイミング信号毎に読み出し、前記個数情報の個数分のデータパケットを前記蓄積部から読み出して送信する読み出し部と、前記読み出し部によって送信されたデータパケットを受け取って、前記ネットワークに送信する送信部とを有している。
【００１１】
この構成により、ネットワークに伝送されているデータパケットを蓄積し、データパケットを送信するとき、少ない演算量および簡単な構成で実現することができる。
【００１２】
また、本発明のデータパケットの記録再生装置は、前記蓄積部が、属性の異なる複数の前記データパケットによって構成される映像コンテンツを蓄積し、前記読み出し部が、前記属性のうち一部の属性のデータパケットを読み出すことにより、前記映像コンテンツの早送りまたは早戻しを実行するものである。
【００１３】
この構成により、映像コンテンツの早送りまたは早戻しを実現することができる。
【００１４】
さらに、本発明のデータパケットの記録再生装置は、前記データパケット、前記パケットカウントテーブルおよび前記パケットインデックステーブルが、前記蓄積部に記録されるものである。
【００１５】
この構成により、データパケット、パケットカウントテーブル、パケットインデックステーブルを、一箇所に記録することができる。
【００１６】
さらに、本発明のデータパケットの記録再生装置は、ネットワークを介して受信したデータパケットを一時的に格納する受信部と、一定周期の第１のタイミング信号を生成するタイミング信号生成部と、前記受信部に格納されたデータパケットを読み出して出力するとともに、出力したデータパケットの個数を前記第１のタイミング信号毎にカウントし、前記カウントした結果を個数情報としてパケットカウントテーブルに書き込むパケットカウント部と、前記パケットカウント部から出力されたデータパケットを書き込む書き込み部と、前記書き込み部によって書き込まれたデータを蓄積する蓄積部と、一定周期の第２のタイミング信号を生成する再生速度設定部と、前記パケットカウントテーブルに書き込まれた前記個数情報を前記第２のタイミング信号毎に読み出し、前記個数情報の個数分のデータパケットを前記蓄積部から読み出して送信する読み出し部と、前記送信部によって送信されたデータパケットを受け取って、前記ネットワークに送信する送信部とを有している。
【００１７】
この構成により、蓄積するときに受信したデータパケットの属性を調べて蓄積しておくことができ、送信するときに、任意の属性のパケットのみ送信することができる。
【００１８】
さらに、本発明のデータパケットの記録再生方法は、ネットワークを介して受信したデータパケットを一時的に格納するステップと、一定周期のタイミング信号を生成するステップと、格納されたデータパケットを読み出して出力するとともに、出力したデータパケットの個数を前記タイミング信号毎にカウントし、カウントした結果を個数情報としてパケットカウントテーブルに書き込むステップと、出力されたデータパケットを書き込むステップと、前記パケットカウントテーブルに書き込まれた個数情報を前記タイミング信号毎に読み出し、前記個数情報の個数分のデータパケットを読み出して送信するステップと、前記読み出されたデータパケットを受け取って、前記ネットワークに送信するステップとを有する。
【００１９】
この構成により、ネットワークに伝送されているデータパケットを蓄積したのちに、データパケットを送信するとき、少ない演算量および簡単な構成で実現することができる。
【発明の効果】
【００２０】
本発明は、一定周期間隔の間に受信したデータパケットの個数を知り、送信時に、一定周期間隔で同じ個数のデータパケットを送信することにより、少ない演算量及び簡単な構成で、データパケットの受信、蓄積および送信を行なうことのできるデータパケットの記録再生措置および記録再生方法を提供することができる。
【００２１】
また、受信したデータパケットの属性を調べて記録しておくことができ、送信するときにその属性を参照して任意の属性のパケットのみ送信することができるというデータパケットの記録再生装置および記録再生方法を提供することができる。
【発明を実施するための最良の形態】
【００２２】
（実施の形態１）
以下、本発明の実施の形態１におけるデータパケットの記録再生装置について、図面を用いて説明する。
【００２３】
図１は、本発明の実施の形態１におけるデータパケットの記録再生装置の構成を示すブロック図である。
【００２４】
タイミング生成部４５は、一定周期間隔のタイミング信号をパケットカウント部４２および読み出し部４４に出力する。受信部４１はネットワーク１５からデータパケットを受け取り、パケットカウント部４２に出力する。パケットカウント部４２は、受信部４１から受け取ったデータパケットを書き込み部４３に出力する。このとき、パケットカウント部４２は、タイミング生成部４５から受け取ったタイミング信号毎に、受信部４１から受け取ったデータパケットの個数をカウントして、その個数情報をパケットカウントテーブル４６に出力する。また、データパケットのデータ属性をパケットインデックステーブル４９に出力する。
【００２５】
書き込み部４３は、パケットカウント部４２から受け取ったデータパケットを蓄積部２１に記録する。パケットカウントテーブル４６は、パケットカウント部４２から受け取った個数情報を記録する。パケットインデックステーブル４９は、データパケットの属性を記録する。
【００２６】
読み出し部４４は、タイミング生成部４５から受け取ったタイミング信号毎に、パケットカウントテーブル４６に記録された個数情報を読み出し、その個数分のデータパケットを蓄積部２１から読み出して、送信部４７に送る。所定の属性が決められている場合には、パケットインデックステーブル４９に記録されたデータパケットの属性を参照して、決められた属性を持つデータパケットを蓄積部２１から読み出す。
【００２７】
送信部４７は、読み出し部４４から受け取ったデータパケットをネットワーク１５へ送信する。
【００２８】
以上のように構成されたデータパケットの記録再生装置の動作について、図１〜図１０用いて説明する。
【００２９】
図１において、ネットワーク１５から受信部４１に入力されるデータパケットは、例えば映像信号をＭＰＥＧ方式でエンコードしたＲＴＰパケットであり、ＭＰＥＧ方式でエンコードされたＩフレームのデータやＰフレームのデータが、図２のｐ１からｐｋのようにパケット化されている。
【００３０】
ネットワーク１５に接続されたエンコーダ（図示せず）から受信部４１がＲＴＰパケットを受け取るとき、このＲＴＰパケットの到着タイミングは、図３（ａ）に示すように一定ではない。すなわち、例えばエンコーダでエンコードする場合、可変ビットレート（ＶＢＲ）のときは当然一定ではない。また、仮に固定ビットレート（ＣＢＲ）でエンコードしている場合でもネットワークの遅延などによる揺らぎの影響を受けて一定でなくなる。
【００３１】
受信部４１に入力されたデータパケットは、パケットカウント部４２によって読み出されるが、そのタイミングは、タイミング生成部４５で生成されたタイミング信号によって一定周期間隔で行なわれる。タイミング生成部４５は、オペレーティングシステム（ＯＳ）の周期割り込みや、外部からのハードウエアタイマー割り込み等を用いて、一定周期間隔のタイミング信号を発生する。この様子を、図３（ｂ）に示す。
【００３２】
パケットカウント部４２は、一定周期間隔に受信部４１から読み出したデータパケットを書き込み部４３に出力すると共に、その出力したデータパケットの個数を個数情報として、パケットカウントテーブル４６に記録する。
【００３３】
図４はパケットカウントテーブルを示している。ここで、ｎ１、ｎ２、ｎ３は、各周期間隔毎のデータパケットの個数を表している。図３（ｃ）の場合は、データパケットの個数が、ｎ１＝４，ｎ２＝５，ｎ３＝３になる。また、このパケットカウントテーブル４６には、ヘッダ情報を加えることが望ましい。これにより、データパケット受信時におけるタイミング生成部４５が生成する一定周期間隔の時間情報などを含めることができ、システムの自由度を増すことが期待できる。
【００３４】
図５にパケットインデックステーブルを示す。図５において、ｆ１、ｆ２、ｆｎは各フレーム毎のパケットインデックス情報である。この情報は、パケットカウント部４２が、データパケットを書き込み部４３に出力するときにそのデータパケットの属性をチェックして作成する。例えばＭＰＥＧ方式でエンコードされたデータ場合は、Ｉフレームのパケットなのか、Ｐフレームのパケットなのか、Ｂフレームのパケットなのかを調べ、各フレーム毎のパケットインデックス情報としてパケットインデックステーブル４９に記録する。
【００３５】
図２のような順序で、フレームを受信したとき、図５に示すパケットインデックス情報ｆ１、ｆ２、ｆｎが、図６（ａ）のようになる様子を、以下に述べる。
【００３６】
図２では、ＩフレームやＰフレームが複数のデータパケット６１に分割されていることを示している。最初のＩフレームはデータパケットｐ１〜ｐａによって構成されている。この結果、最初のフレームのパケットインデックス情報ｆ１は、図６（ａ）に示すように、フレームの種類がＩフレーム、先頭がｐ１、終端がｐａになる。
【００３７】
また、これに続くフレームはＰフレームで、同じように複数のデータパケットｐｂ〜ｐｃによって構成されている。このため、２番目のパケットインデックス情報ｆ２では、フレームの種類がＰフレーム、先頭がｐｂ、終端がｐｃになる。
【００３８】
さらに、この後にＰフレームが続いており、次のＩフレームの一つ前のＰフレームは、データパケットｐｄ〜ｐｅによって構成されている。このため、このＰフレームに対応するパケットインデックス情報ｆｎは、フレームの種類がＰフレーム、先頭がｐｄ、終端がｐｅになる。
【００３９】
また、このパケットインデックステーブル４９には、ヘッダ情報を加えることが望ましい。これにより、データパケットのフレーム属性、例えばＭＰＥＧ１方式、ＭＰＥＧ２方式、ＪＰＥＧ方式などの属性情報などを含めることができ、システムの自由度が増すことが期待できる。
【００４０】
書き込み部４３は、データパケット（すなわちＲＴＰパケット）の単位でデータパケット６１を蓄積部２１に記録するとき、図７に示したように、順番を揃えて記録する。これは、ネットワーク１５からデータパケットを受け取るとき、順番が入れ替わっていることもあるからである。こうすることにより、送信する際、先頭から順番にパケット単位で読み取るだけでよくなる。
【００４１】
なお、パケットインデックステーブル４９に記録するデータは図６（ｂ）のように記録してもよい。すなわち、各フレームを構成する先頭のデータパケットと、各フレームを構成するパケット数を記録するようにする。
【００４２】
次に、図８を用いて、蓄積部２１に記録されたデータパケットをネットワークに送信する場合について説明する。図８では、一定周期間隔に名称をつけ、周期間隔Ａおよび周期間隔Ｂと記載している。
【００４３】
まず、記録時には、図８（ａ）において周期間隔Ａに受信したパケット個数が４個であり、周期間隔Ｂに受信したパケット個数が５個であったとする。そのデータを再生するときは、図８（ｂ）に示したように周期間隔Ａのタイミングで４個のデータパケットを送信し、同様に周期間隔Ｂのタイミングでは５個データのパケットを送信する。
【００４４】
すなわち、タイミング生成部４５で生成された周期間隔毎に、パケットカウントテーブル４６に記録されている個数分のデータパケットを蓄積部２１から読みとり、送信する。タイミング生成部４５で生成したタイミング信号は、記録時も再生時も変わらないため、受信したときの平均ビットレートを送信時に再現することができる。特に、その時の処理はデータパケットをカウントするだけで良いので、処理が少ない。さらに小数演算による丸め誤差が発生することもない。
【００４５】
次に、図９を用いて、早送り再生について説明する。
【００４６】
記録時に、図９（ａ）に示すように、周期間隔ＡにはＰフレームを構成するデータパケットが２個で、Ｉフレームを構成するデータパケットが２個であったとする。そのフレームの情報はパケットインデックステーブル４９に記録されている。データを再生するとき、Ｉフレームのみを読み出すようにすれば、読み出し部４４がパケットインデックステーブル４９を参照することにより、図９（ｂ）に示したように、先頭のＰフレームのパケットは読み出されずＩフレームのみ再生することができる。
【００４７】
この結果、図２のように例えばＭＰＥＧ方式でエンコードされたデータパケットを送信する場合、Ｐフレームを除いてＩフレームのみを送信することができる。
【００４８】
すなわち、図１０では、図２と比較して、データパケットｐｂからｐｃによって構成されるＰフレームのデータなどがなくなっている。また、図２では図示されていない、２つのＩフレームのデータが表示されている。これらのＩフレームのデータは、それぞれデータパケットｐｌからｐｍ、およびｐｘからｐｙによって構成されている。このようにして、Ｉフレームのみを送信することができる。
【００４９】
なお、上記では早送りの場合について説明したが、パケットインデックステーブル４９の参照を逆方向にすることで早戻しを行なったり、参照位置を任意の位置に変更することで再生位置を変更したりすることも可能である。
【００５０】
なお、デコーダ１３には、元々エンコーダ１１がネットワークを介して配置されているので、ネットワークにおける揺らぎの影響に対する対策が行われているのが一般的である。特に、複数のパケットを一時的にバースト状に受信したとしても問題ないように設計されているので、タイミング生成部４５が生成するタイミングで複数のデータパケットをまとめて送信しても影響が出ない。
【００５１】
以上の構成により、本発明の実施の形態１によれば、一定周期間隔の間に受信したデータパケットの個数を知り、送信時に一定周期間隔で同じ個数のデータパケットを送信することにより、少ない処理でデータパケットの送信が行なえるデータパケットの記録再生装置を実現することができる。
【００５２】
（実施の形態２）
次に、本発明の実施の形態２について図１１を用いて説明する。なお、実施の形態１と同じ箇所については符号を共通にして説明を省略する。
【００５３】
実施の形態１と異なるのは、タイミング生成部４５からのタイミング信号が読み出し部４４に入力されないことと、再生速度設定部４８が付加されたことである。そして、再生速度設定部４８が発生するタイミング信号が、読み出し部４４に入力されるようになっている。
【００５４】
再生速度設定部４８を有することによって、タイミング生成部４５と異なった周期のタイミング信号を発生することができ、ネットワーク１５から入力されたデータパケットの受信タイミングとは異なったタイミングで、データパケットを送信することができる。
【００５５】
例えば、あらかじめネットワーク１５の通信速度が決まっている場合、あらかじめ決められた通信速度に応じたデータパケットの個数分を送信することができ、受信時にネットワークの遅延の影響などによる通信速度のゆらぎがあっても、再生時に一定の通信速度でデータパケットを送信することができる。
【００５６】
以上の構成により、本発明の実施の形態２によれば、データパケットを受け取ったときの速度とは異なった速度で、データパケットを送信することができる。
【００５７】
（実施の形態３）
次に、本発明の実施の形態３について図１２を用いて説明する。なお、実施の形態１と同じ箇所については符号を共通にして説明を省略する。
【００５８】
実施の形態３が実施の形態１と異なるのは、図１と比較して、蓄積部２１の内部に、データパケット記録部５０とパケットインデックステーブル４９があることである。
【００５９】
パケットインデックステーブル４９へのデータパケットの属性の書き込みは、実施の形態１ではパケットカウント部４２が行なっていたが、実施の形態３では、書き込み部４３が行う。
【００６０】
また、データパケット記録部５０には、実施の形態１で、記録部２１に記録されていたデータパケットが記録される。
【００６１】
以上の構成により、本発明の実施の形態３によれば、データパケットとパケットインデックステーブルを共に蓄積部２１に書くことができるので、データパケットとパケットインデックステーブルのデータの取り扱いが容易になる。
【産業上の利用可能性】
【００６２】
本発明にかかるデータパケットの記録再生装置および記録再生方法は、ネットワークに伝送されている映像信号などのデータパケットを蓄積し、再生するときに受信したときと同じパケット送信レートを再現でき、そのデータパケットを受信する装置が正しくデコードできるとともに、少ない演算量および簡単な構成で早送りや再生位置の変更が容易に実現することができるという効果を有し、ネットワークを介して伝送されるデータパケットの蓄積や再生などの用途に有用である。
【図面の簡単な説明】
【００６３】
【図１】本発明の実施の形態１のデータパケットの記録再生装置の構成を示すブロック図
【図２】本発明の実施の形態１におけるデータパケットの記録再生装置のデータパケットとフレームデータとの関係を示す図
【図３】本発明の実施の形態１におけるデータパケットの記録再生装置のデータパケットの伝送タイミングを説明する図
【図４】本発明の実施の形態１におけるデータパケットの記録再生装置のパケットカウントテーブルを説明する図
【図５】本発明の実施の形態１におけるデータパケットの記録再生装置のパケットインデックステーブルを説明する図
【図６】本発明の実施の形態１におけるデータパケットの記録再生装置のパケットインデックステーブルの内容を説明する図
【図７】本発明の実施の形態１におけるデータパケット記録再生装置の再生時におけるパケット送信方法を説明する図
【図８】本発明の実施の形態１におけるデータパケットの記録再生装置の再生時におけるパケット送信方法を説明する図
【図９】本発明の実施の形態１におけるデータパケットの記録再生装置の再生時におけるパケット送信方法を説明する図
【図１０】本発明の実施の形態１におけるデータパケットの記録再生装置の再生時におけるパケット送信方法を説明する図
【図１１】本発明の実施の形態２のデータパケットの記録再生装置の構成を示すブロック図
【図１２】本発明の実施の形態３のデータパケットの記録再生装置の構成を示すブロック図
【図１３】従来のデータパケットの記録再生装置の構成を示すブロック図
【図１４】従来のデータパケットの記録再生装置のデータの流れを説明する図
【図１５】従来のデータパケットの記録再生装置におけるビットレートデータとデータパケットとの関係を示す図
【符号の説明】
【００６４】
１５  ネットワーク
２０  データパケットの記録再生装置
２１  蓄積部
４１  受信部
４２  パケットカウント部
４３  書き込み部
４４  読み出し部
４５  タイミング生成部
４６  パケットカウントテーブル
４７  送信部
４８  再生速度設定部
４９  パケットインデックステーブル
５０  データパケット記録部
【図１】
2007028131.tif 000003
【図２】
2007028131.tif 000004
【図３】
2007028131.tif 000005
【図４】
2007028131.tif 000006
【図５】
2007028131.tif 000007
【図６】
2007028131.tif 000008
【図７】
2007028131.tif 000009
【図８】
2007028131.tif 000010
【図９】
2007028131.tif 000011
【図１０】
2007028131.tif 000012
【図１１】
2007028131.tif 000013
【図１２】
2007028131.tif 000014
【図１３】
2007028131.tif 000015
【図１４】
2007028131.tif 000016
【図１５】
2007028131.tif 000017